Podtech/llm-jp-corpus-v4-ja_patent huggingface dataset:
【手続補正書】
【提出日】平成26年5月28日(2014.5.28)
【手続補正１】
【補正対象書類名】特許請求の範囲
【補正対象項目名】全文
【補正方法】変更
【補正の内容】
【特許請求の範囲】
【請求項１】
遊技球の入球口が開放状態と閉鎖状態を取り得るように動作する開閉機構を有した第１始動手段で入球した遊技球を検知することにより第１図柄を変動させて行う第１図柄変動ゲーム、及び第２始動手段で入球した遊技球を検知することにより第２図柄を変動させて行う第２図柄変動ゲームを特別表示手段で行い、前記第１図柄変動ゲーム又は前記第２図柄変動ゲームが大当りとなる場合には、図柄変動ゲームの終了後に入賞手段を開放する大当り遊技を付与する遊技機において、
前記大当り遊技の終了後、前記第１始動手段の開閉機構が開放状態を取り得るように動作する開放時間が増加する開放時間増加状態を付与する開放時間増加状態付与手段と、
普通図柄を変動させて行う普通図柄変動ゲームを表示する普通図柄表示手段と、
前記普通図柄変動ゲームが普通当りとなるか否かの普通当り抽選を行ってその抽選結果にしたがって前記普通図柄変動ゲームで導出する普通図柄を決定し、決定した普通図柄を導出させる態様で前記普通図柄変動ゲームを実行させる普通図柄制御手段と、
普通当り抽選に当選した場合、前記普通図柄変動ゲームの終了後、該普通図柄変動ゲームで導出される普通図柄に基づいて前記開閉機構を開放させる開放制御手段と、
前記第１図柄変動ゲーム及び前記第２図柄変動ゲームの演出時間を特定する変動パターンを決定する変動パターン決定手段と、を備え、
前記開放時間増加状態付与手段は、前記開放時間増加状態を付与した場合、第１図柄変動ゲーム及び第２図柄変動ゲームの合計実行回数が付与上限回数となるまで前記開放時間増加状態を付与するように構成されており、
前記変動パターン決定手段は、前記開放時間増加状態が付与されているとき、第１図柄変動ゲームがはずれとなる場合、はずれ演出用変動パターンのうち、演出時間が短い変動パターンを他の変動パターンよりも高確率で決定し、
前記大当り遊技には、大当り遊技中における入賞手段の合計開放時間が第１大当り遊技よりも長い第２大当り遊技があり、前記第２図柄変動ゲームにて大当りとなるときよりも、前記第１図柄変動ゲームにて大当りとなるときの方が、前記第２大当り遊技の付与確率が高く設定されており、
前記普通当り抽選に当選した場合、前記普通図柄制御手段は、第１普通図柄と第２普通図柄を含む複数種類の普通図柄の中から１つの普通図柄を決定するように構成されていると共に、開放時間増加状態が付与されていない場合において、前記第１普通図柄の決定確率は、第２普通図柄の決定確率よりも高確率となるように設定されており、
前記普通図柄制御手段が前記第２普通図柄を決定している場合において前記開放制御手段は、前記普通図柄制御手段が前記第１普通図柄を決定しているときよりも開放時間が長くなるように前記開閉機構を開放させる遊技機。
【手続補正２】
【補正対象書類名】明細書
【補正対象項目名】０００８
【補正方法】変更
【補正の内容】
【０００８】
上記問題点を解決する遊技機は、遊技球の入球口が開放状態と閉鎖状態を取り得るように動作する開閉機構を有した第１始動手段で入球した遊技球を検知することにより第１図柄を変動させて行う第１図柄変動ゲーム、及び第２始動手段で入球した遊技球を検知することにより第２図柄を変動させて行う第２図柄変動ゲームを特別表示手段で行い、前記第１図柄変動ゲーム又は前記第２図柄変動ゲームが大当りとなる場合には、図柄変動ゲームの終了後に入賞手段を開放する大当り遊技を付与する遊技機において、前記大当り遊技の終了後、前記第１始動手段の開閉機構が開放状態を取り得るように動作する開放時間が増加する開放時間増加状態を付与する開放時間増加状態付与手段と、普通図柄を変動させて行う普通図柄変動ゲームを表示する普通図柄表示手段と、前記普通図柄変動ゲームが普通当りとなるか否かの普通当り抽選を行ってその抽選結果にしたがって前記普通図柄変動ゲームで導出する普通図柄を決定し、決定した普通図柄を導出させる態様で前記普通図柄変動ゲームを実行させる普通図柄制御手段と、普通当り抽選に当選した場合、前記普通図柄変動ゲームの終了後、該普通図柄変動ゲームで導出される普通図柄に基づいて前記開閉機構を開放させる開放制御手段と、前記第１図柄変動ゲーム及び前記第２図柄変動ゲームの演出時間を特定する変動パターンを決定する変動パターン決定手段と、を備え、前記開放時間増加状態付与手段は、前記開放時間増加状態を付与した場合、第１図柄変動ゲーム及び第２図柄変動ゲームの合計実行回数が付与上限回数となるまで前記開放時間増加状態を付与するように構成されており、前記変動パターン決定手段は、前記開放時間増加状態が付与されているとき、第１図柄変動ゲームがはずれとなる場合、はずれ演出用変動パターンのうち、演出時間が短い変動パターンを他の変動パターンよりも高確率で決定し、前記大当り遊技には、大当り遊技中における入賞手段の合計開放時間が第１大当り遊技よりも長い第２大当り遊技があり、前記第２図柄変動ゲームにて大当りとなるときよりも、前記第１図柄変動ゲームにて大当りとなるときの方が、前記第２大当り遊技の付与確率が高く設定されており、前記普通当り抽選に当選した場合、前記普通図柄制御手段は、第１普通図柄と第２普通図柄を含む複数種類の普通図柄の中から１つの普通図柄を決定するように構成されていると共に、開放時間増加状態が付与されていない場合において、前記第１普通図柄の決定確率は、第２普通図柄の決定確率よりも高確率となるように設定されており、前記普通図柄制御手段が前記第２普通図柄を決定している場合において前記開放制御手段は、前記普通図柄制御手段が前記第１普通図柄を決定しているときよりも開放時間が長くなるように前記開閉機構を開放させることを要旨とする。
【手続補正書】
【提出日】平成26年4月23日(2014.4.23)
【手続補正１】
【補正対象書類名】明細書
【補正対象項目名】００１９
【補正方法】変更
【補正の内容】
【００１９】
揚水部１３は旋回流式沈砂池７０Ａ，７０Ｂの集砂部７２Ａ，７２Ｂに沈降した砂Ｓを吸い込み、旋回流式沈砂池７０Ａ，７０Ｂの外に排出する。揚水部１３は、旋回流式沈砂池７０Ａ，７０Ｂの外部に配置されている。揚水部１３は、ジェットポンプ１８と、タンク１９と、タンク１９に接続された圧力ポンプ２１とを有している。圧力ポンプ２１はジェットポンプ１８に所定の圧力を有する圧力水を供給するものであり、所定の圧力は所望の値に制御可能に構成されている。ジェットポンプ１８に供給された圧力水は、ジェットポンプ１８内の噴射室に噴射され、高圧の水の噴射により生じるエジェクタ作用（いわゆるジェットポンプ作用）がジェットポンプ１８内に生じる。このエジェクタ効果によりジェットポンプ１８は、集砂部７２Ａ，７２Ｂに沈降した砂Ｓを砂Ｓ付近の被処理水Ｗと共に吸い込み、固液分離装置７９へ排出する。
【手続補正２】
【補正対象書類名】明細書
【補正対象項目名】００３９
【補正方法】変更
【補正の内容】
【００３９】
第３実施形態に係る揚砂装置３は、曝気式沈砂池９０Ａに配置された吸込管１１Ａと、曝気式沈砂池９０Ａに配置された吸込管１１Ｂと、吸込管切替部１２と、揚水部１３と、曝気式沈砂池９０Ａに配置された集砂装置８２Ａと、曝気式沈砂池９０Ｂに配置された集砂装置８２Ｂとを備えている。揚砂装置３は、さらに、曝気式沈砂池９０Ａに配置された曝気装置９２Ａと、曝気式沈砂池９０Ｂに配置された曝気装置９２Ｂを備えている。すなわち、第３実施形態に係る揚砂装置３は、第２実施形態に係る揚砂装置２が曝気装置９２Ａ，９２Ｂをさらに備えたものである。
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
システムであって、以下：
回転可能なキャプスタンを含む医療器具であって、該回転可能なキャプスタンが第１の連結特徴を含む、医療器具、および
回転可能な駆動要素を含む駆動システムであって、該回転可能な駆動要素が第２の連結特徴を含む、駆動システムを備え、
該第１の連結特徴および該第２の連結特徴が整列された係合構成および整列されない係合構成を有し、該整列された係合構成において、該回転可能な駆動要素の回転が該回転可能なキャプスタンの回転を引き起こし、そして該整列されない係合構成において、該回転可能な駆動要素の回転が該回転可能なキャプスタンの回転を引き起こさない、システム。
【請求項２】
前記第１の連結特徴または前記第２の連結特徴の一方がシャフトを含み、そして該第１の連結特徴または該第２の連結特徴の他方がボアを含み、該シャフトが、前記整列されない係合構成におい該ボア内で回転可能であり、そして前記整列された係合構成において該ボア内で回転可能でない、請求項１に記載のシステム。
【請求項３】
前記ボアが、円形断面を有する、請求項２に記載のシステム。
【請求項４】
前記第１の連結特徴または前記第２の連結特徴のいずれかが、圧縮可能な突起部を含み、そして該第１の連結特徴または該第２の連結特徴の他方がスロットを含み、そして該圧縮可能な突起部が、前記整列された係合構成において該スロットと係合し、前記整列されない係合構成において該スロットと係合しない、請求項１に記載のシステム。
【請求項５】
前記圧縮可能な突起部が、バネ負荷型である、請求項４に記載のシステム。
【請求項６】
前記圧縮可能な突起部が、前記整列されない係合構成において圧縮され、そして前記整列された係合構成において圧縮されない、請求項４に記載のシステム。
【請求項７】
前記駆動システムが、前記回転可能な駆動要素に連結されたモータを含む、請求項１に記載のシステム。
【請求項８】
前記医療器具が、前記回転可能なキャプスタンの周りに巻かれたテンドンを含む、請求項１に記載のシステム。
【請求項９】
前記医療器具が、前記テンドンが通って延びる可撓性シャフトを含む、請求項８に記載のシステム。
【請求項１０】
前記医療器具がエンドエフェクタを含む請求項８に記載のシステムであって、前記回転可能な駆動要素の回転が、前記整列された係合構成において該エンドエフェクタの作動を引き起こし、そして前記整列されない係合構成において該エンドエフェクタの作動を引き起こさない、システム。
【請求項１１】
前記整列されない係合構成において、前記第２の連結特徴が、前記第１の連結特徴に対して回転可能である、請求項１に記載のシステム。
【請求項１２】
医療システムであって、以下：
回転可能なキャプスタンを含む医療器具であって、該キャプスタンがボアおよび第１の整列特徴を含む、医療器具、および
該ボア内に受容されるためのサイズの駆動シャフトを含む駆動モータであって、該駆動シャフトが第２の整列特徴を含む、駆動モータ、を備え、
該シャフトが、該第１の整列特徴と該第２の整列特徴とが係合するまで、該キャプスタンを回転することなく該ボア内で回転可能である、医療システム。
【請求項１３】
該ボアが、円形断面を有する、請求項１２に記載の医療システム。
【請求項１４】
前記第１の整列特徴または前記第２の整列特徴のいずれかが圧縮可能な突起部を含み、そして該第１の整列特徴または該第２の整列特徴の他方がスロットを含み、該第１の整列特徴と該第２の整列特徴とが係合するとき、該圧縮可能な突起部が該スロットとともに延びる、請求項１２に記載の医療システム。
【請求項１５】
前記圧縮可能な突起部が、レバーを含む、請求項１４に記載の医療システム。
【請求項１６】
前記圧縮可能な突起部が、バネ負荷型である、請求項１４に記載の医療システム。
【請求項１７】
前記圧縮可能な突起部が、前記シャフトが前記ボア内で回転可能であるとき圧縮され、そして前記第１の整列特徴と前記第２の整列特徴とが係合するとき圧縮されない、請求項１４に記載の医療システム。
【請求項１８】
前記医療器具が、前記回転可能なキャプスタンの周りに巻かれたテンドンを含む、請求項１２に記載の医療システム。
【請求項１９】
前記医療器具が、前記テンドンが通って延びる可撓性シャフトを含む、請求項１８に記載の医療システム。
【請求項２０】
前記医療器具がエンドエフェクタを含む請求項１８に記載の医療システムであって、前記第１の整列特徴と前記第２の整列特徴とが係合するとき、キャプスタンを回転することによって前記テンドンに付与された力が、該エンドエフェクタを作動する、医療システム。
【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
脈管内プローブであって、
内部に形成された管腔を含むカテーテルと、
前記カテーテルに結合された光学台であって、患者の血管壁の赤外線分光分析を実行して脂質内容を検出するために赤外線を送受信するよう構成された光学台と、
前記カテーテルに結合された超音波トランスデューサであって、前記血管壁の形態計測分析を行うために超音波エネルギーを送受信するよう構成された超音波トランスデューサとを含む、脈管内プローブ。
【請求項２】
前記カテーテルが内部に形成された管腔を含み、
前記光学台は前記管腔内に配置されると共に、前記カテーテルの１つまたは複数の壁を介して赤外線を送受信するよう構成され、
前記超音波トランスデューサは前記管腔内に配置されると共に、前記カテーテルの１つまたは複数の壁を介して超音波エネルギー送受信するよう構成された、請求項１に記載の脈管内プローブ。
【請求項３】
前記カテーテルの外層は外装の形態をとる、請求項２に記載の脈管内プローブ。
【請求項４】
前記管腔内に配置される流体であって、前記超音波トランスデューサを半径方向に囲むと共に前記超音波トランスデューサの音響伝搬を向上させるよう設計された流体をさらに含む、請求項２に記載の脈管内プローブ。
【請求項５】
前記光学台および前記超音波トランスデューサに結合されたトルクケーブルをさらに含み、前記トルクケーブルは、該トルクケーブルが前記光学台および前記超音波トランスデューサを回転可能とするように、前記光学台および前記超音波トランスデューサにトルクを伝達するよう構成されている、請求項１に記載の脈管内プローブ。
【請求項６】
前記光学台は所与の時刻に前記血管壁の１つの箇所を走査するよう構成され、且つ前記光学台は前記トルクケーブルにより回転される際に前記血管壁を円周方向に走査するよう構成されている、請求項５に記載の脈管内プローブ。
【請求項７】
前記超音波トランスデューサは所与の時刻に前記血管壁の１つの箇所を走査するよう構成され、且つ前記超音波トランスデューサは前記トルクケーブルにより回転される際に前記血管壁を円周方向に走査するよう構成されている、請求項５に記載の脈管内プローブ。
【請求項８】
前記光学台および前記超音波トランスデューサは前記カテーテルの遠位部近くに配置されている、請求項１に記載の脈管内プローブ。
【請求項９】
前記光学台に取り付けられた１つまたは複数の光ファイバをさらに含み、前記１つまたは複数の光ファイバは前記赤外線を送受信するよう構成された、請求項１に記載の脈管内プローブ。
【請求項１０】
前記光学台は、前記１つまたは複数の光ファイバの１つまたは複数へ又は前記１つまたは複数の光ファイバの１つまたは複数から光を方向転換するための光学反射体を含む、請求項１に記載の脈管内プローブ。
【請求項１１】
前記光学台は、前記１つまたは複数の光ファイバの１つまたは複数へ又は前記１つまたは複数の光ファイバの１つまたは複数から光を方向転換するためのプリズムを含む、請求項１に記載の脈管内プローブ。
【請求項１２】
前記赤外線を送信するための前記光学台内に取り付けられた第１光ファイバと、
前記赤外線を受信するための前記光学台内に取り付けられた第２光ファイバとをさらに含む、請求項１に記載の脈管内プローブ。
【請求項１３】
前記超音波トランスデューサが圧電トランスデューサを含む、請求項１に記載の脈管内プローブ。
【請求項１４】
前記光学台は、前記カテーテルの長手方向軸に対する第１軸方向位置において赤外線を送受信するよう前記カテーテルに対して位置決めされており、
前記超音波トランスデューサは、前記第１軸方向位置において超音波エネルギー送受信するよう前記カテーテルに対して位置決めされた、請求項１に記載の脈管内プローブ。
【請求項１５】
前記光学台は、前記カテーテルの長手方向軸に対する第１軸方向位置において赤外線を送受信するよう前記カテーテルに対して位置決めされており、
前記超音波トランスデューサは、前記第１軸方向位置に対して遠位の第２軸方向位置において超音波エネルギー送受信するよう前記カテーテルに対して位置決めされた、請求項１に記載の脈管内プローブ。
【請求項１６】
前記カテーテルは、案内ワイヤを前記カテーテルの遠位部に通すための案内ワイヤ管腔を含む、請求項１に記載の脈管内プローブ。
【請求項１７】
前記カテーテルの一部分は前記光学台と軸方向に位置合わせされおり、
前記光学台と軸方向に位置合わせされた前記カテーテルの一部分は、前記光学台へ且つ前記光学台から赤外線を透過させるよう構成されたポリマーからなる、請求項１に記載の脈管内プローブ。
【請求項１８】
赤外線放射を前記光学台から受け取ると共に、スペクトルにわたって光の強度を示すスペクトル信号を含む電気信号を発生するよう構成された光学検出器と、
化学組成を特定するために、前記光学検出器が発生した前記電気信号に含まれる分光信号を分析するためのスペクトル分析器とを更に含む、請求項１に記載の脈管内プローブ。
【請求項１９】
前記光学台および前記超音波トランスデューサは、それらが前記血管壁に対して回転可能となるように前記脈管内プローブに対して回転可能であり、
前記光学台および前記超音波トランスデューサは、それらが前記血管壁に対して回転され且つ軸方向に移動される際に、共通の螺旋路を描くことにより計量化学データと形態学的データとの組み合わせがマッピングされうるように構成されている、請求項１に記載の脈管内プローブ。
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
所定の遊技を行うことが可能な遊技機であって、
遊技の進行を制御する遊技制御手段と、
前記遊技制御手段によって出力されたコマンドに応じて演出手段を制御する演出制御手段と、
操作手段と、
遊技に関する異常を検出するための検出手段とを備え、
前記演出制御手段は、
前記検出手段により遊技に関する異常を検出したときに、前記演出手段を用いて異常報知を実行する異常報知実行手段と、
前記異常報知の実行を制限するか否かを設定する設定手段とを含み、
前記設定手段は、
前記操作手段により所定の操作が行われたときに前記異常報知の実行を制限するように設定し、
遊技機への電力供給が開始されたときには前記異常報知の実行を制限しないように設定する
ことを特徴とする遊技機。
【請求項２】
遊技に関する異常を検出したことを示す外部出力信号を外部装置に出力する外部出力手段を備え、
前記外部出力手段は、設定手段による異常報知の実行を制限するか否かの設定状態にかかわらず、検出手段により遊技に関する異常を検出したときに前記外部出力信号を前記外部装置に出力する
請求項１記載の遊技機。
【請求項３】
少なくとも遊技制御手段を搭載した遊技制御基板または演出制御手段を搭載した演出制御基板のうちのいずれか一方は、所定の報知を行うための報知手段を搭載し、
検出手段により遊技に関する異常を検出したときに前記報知手段を用いて前記所定の報知を実行する所定報知実行手段を備え、
前記所定報知実行手段は、設定手段による異常報知の実行を制限するか否かの設定状態にかかわらず、前記検出手段により遊技に関する異常を検出したときに前記所定の報知を実行する
請求項１または請求項２記載の遊技機。
【請求項４】
遊技機への電力供給が開始されたときに設定手段によって異常報知の実行を制限しないように設定されたことを条件に特定の報知を実行する電力供給開始時報知手段を備えた
請求項１から請求項３のうちのいずれかに記載の遊技機。
【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
始動条件が成立したことに基づいて、各々を識別可能な複数種類の演出用識別情報の変動表示演出を行なって表示結果を導出する変動表示演出装置に予め定められた特定表示結果が導出されたときに、遊技者にとって有利な特定遊技状態に制御する遊技機であって、
遊技の進行を制御する遊技制御手段と、
前記特定遊技状態とは異なる遊技者にとって有利な第１特別遊技状態、または、当該第１特別遊技状態とは異なる第２特別遊技状態に制御する特別遊技状態制御手段と、
前記変動表示演出を開始するときに、前記変動表示演出における特定演出の実行態様と、前記変動表示演出における通常演出の実行態様とを決定する開始時決定手段と、
前記始動条件が成立した後、該成立した始動条件に対応する変動表示演出が開始されるまでに、前記変動表示演出における特定演出の実行態様を判定する始動時判定手段と、
前記開始時決定手段により決定された前記通常演出の実行態様を指示する第１コマンドと、前記開始時決定手段により決定された前記特定演出の実行態様を指示する第２コマンドと、前記特別遊技状態制御手段による前記第２特別遊技状態の制御期間を特定可能な第３コマンドとを送信するコマンド送信手段と、
前記コマンド送信手段から送信される第１コマンドと第２コマンドと第３コマンドとに基づいて前記変動表示演出装置における変動表示演出を制御する演出制御手段と、
前記特定演出の実行態様を示唆する先読み予告演出を実行する先読み予告演出実行手段と、
前記始動時判定手段による判定に基づいて、前記コマンド送信手段が送信する第２コマンドに対応する事前コマンドを送信する事前コマンド送信手段とを備え、
前記先読み予告演出実行手段は、前記事前コマンド送信手段から第２コマンドに対応する事前コマンドを受信したことに基づいて前記先読み予告演出を実行する、遊技機。
【請求項２】
前記コマンド送信手段から送信される第１コマンドまたは第２コマンドのいずれか一方を受信できなかったときには、当該受信できなかった第１コマンドまたは第２コマンドに対応する前記演出制御手段による変動表示演出の実行を禁止する禁止手段をさらに備える、請求項１に記載の遊技機。
【手続補正２】
【補正対象書類名】明細書
【補正対象項目名】０００７
【補正方法】変更
【補正の内容】
【０００７】
（１）  始動条件が成立したこと（たとえば、第１始動入賞口、第２始動入賞口を遊技球が通過したこと）に基づいて、各々を識別可能な複数種類の演出用識別情報（たとえば、演出図柄）の変動表示演出を行なって表示結果を導出する変動表示演出装置（たとえば、演出表示装置５）に予め定められた特定表示結果（たとえば、大当り図柄）が導出されたときに、遊技者にとって有利な特定遊技状態（たとえば、大当り状態）に制御する遊技機（パチンコ遊技機１）であって、
遊技の進行を制御する遊技制御手段（たとえば、遊技制御用マイクロコンピュータ１００のＣＰＵ１０３）と、
前記特定遊技状態とは異なる遊技者にとって有利な第１特別遊技状態（たとえば、次回大当りまで継続する確変状態）、または、当該第１特別遊技状態とは異なる第２特別遊技状態（たとえば、大当り終了後、１００回までまたは次回大当りまで継続する時短状態）に制御する特別遊技状態制御手段（たとえば、遊技制御用マイクロコンピュータ１００、図２４のステップＳ３２４，ステップＳ３２５）と、
前記変動表示演出を開始するときに、前記変動表示演出における特定演出の実行態様（たとえば、ノーマルリーチやスーパーリーチ）と、前記変動表示演出における通常演出（たとえば、特別演出）の実行態様（たとえば、滑りや擬似連の演出態様）とを決定する開始時決定手段（たとえば、ＣＰＵ１０３が図１７のステップＳ１１０の特別図柄通常処理と図１７のステップＳ１１１の変動パターン設定処理を実行する部分）と、
前記始動条件が成立した後、該成立した始動条件に対応する変動表示演出が開始されるまでに、前記変動表示演出における特定演出の実行態様を判定する始動時判定手段（たとえば、ＣＰＵ１０３が図１８のステップＳ２１２で実行される図１９，図２０の入賞時乱数値判定処理を実行する部分）と、
前記開始時決定手段により決定された前記通常演出の実行態様を指示する第１コマンド（たとえば、図３の前変動パターン指定コマンド）と、前記開始時決定手段により決定された前記特定演出の実行態様を指示する第２コマンド（たとえば、図３の後変動パターン指定コマンド）と、前記特別遊技状態制御手段による前記第２特別遊技状態の制御期間を特定可能（たとえば、残り回数を特定可能であってもよいし、既実行回数を特定可能であってもよい）な第３コマンド（たとえば、残時短回数指定コマンド）とを送信するコマンド送信手段（たとえば、遊技制御用マイクロコンピュータ１００のＣＰＵ１０３、第１コマンド：図２２のステップＳ２７３ａ、第２コマンド：図２２のステップＳ２６７，ステップＳ２７１ａ、図２３のステップＳ２８３ａ、第３コマンド：残時短回数指定コマンドの送信）と、
前記コマンド送信手段から送信される第１コマンドと第２コマンドと第３コマンドとに基づいて前記変動表示演出装置における変動表示演出を制御する演出制御手段（たとえば、演出制御用ＣＰＵ１２０、第１コマンド，第２コマンド：図２５のステップＳ７５、第３コマンド：電断復旧時に残時回数指定コマンドに基づいて残時短回数を表示）と、
前記特定演出の実行態様を示唆する先読み予告演出を実行する先読み予告演出実行手段（たとえば、演出制御用ＣＰＵ１２０が図３０のステップＳ１６１で実行される図３２，図３３の先読み予告処理を実行する部分）と、
前記始動時判定手段による判定に基づいて、前記コマンド送信手段が送信する第２コマンドに対応する事前コマンド（たとえば、変動カテゴリコマンド）を送信する事前コマンド送信手段（たとえば、ＣＰＵ１０３が図１９のステップＳ４２０の処理を実行する部分）とを備え、
前記先読み予告演出実行手段は、前記事前コマンド送信手段から第２コマンドに対応する事前コマンドを受信したことに基づいて前記先読み予告演出を実行する（たとえば、演出制御用ＣＰＵ１２０が、図３２のステップＳ７０９を実行することで、変動カテゴリコマンドから特定される変動カテゴリが予告の実行可能カテゴリであることを条件に、予告の実行を決定する）。
【手続補正３】
【補正対象書類名】明細書
【補正対象項目名】００１５
【補正方法】変更
【補正の内容】
【００１５】
（５）  上記（１）〜（４）のいずれかの遊技機において、
前記コマンド送信手段から送信される第１コマンドまたは第２コマンドのいずれか一方を受信できなかったときには、当該受信できなかった第１コマンドまたは第２コマンドに対応する前記演出制御手段による変動表示演出の実行を禁止する禁止手段（たとえば、演出制御用ＣＰＵ１２０が、演出図柄の変動開始時に図３６のステップＳ５２１ａ〜Ｓ５２１ｂの処理を実施して、後変動パターン受信フラグと前変動パターン受信フラグがセットされていないときには、図３６のステップＳ５２２〜ステップＳ５３４の処理を実施せず、図３６のステップＳ５３５の処理のみを実施して処理を終了することで、演出図柄の変動を開始しない）をさらに備える。
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
光を受光して電気信号に光電変換する複数の画素を有する撮像部と、
被写体に照明光を出射する照明部と、
前記電気信号に基づいて前記複数の画素から出力される複数の出力値のうち、設定された上限値に達した出力値を出力する飽和画素の出力値を補正する補正部と、
前記補正部が補正した補正出力値、および前記飽和画素以外の画素が出力する出力値をもとに、該補正出力値および該出力値の平均値である測光値を算出する演算部と、
前記演算部が算出した前記測光値をもとに、前記照明部の動作を制御する調光部と、
を備えたことを特徴とする調光装置。
【請求項２】
前記補正部は、前記飽和画素の数に応じた補正処理を行うことを特徴とする請求項１に記載の調光装置。
【請求項３】
前記補正部は、前記出力値に対して補正値を加算することによって前記補正出力値を算出することを特徴とする請求項１または２に記載の調光装置。
【請求項４】
前記補正部は、前記出力値に対して補正係数を乗算することによって前記補正出力値を算出することを特徴とする請求項１または２に記載の調光装置。
【手続補正２】
【補正対象書類名】明細書
【補正対象項目名】００１２
【補正方法】変更
【補正の内容】
【００１２】
上述した課題を解決し、目的を達成するために、本発明にかかる調光装置は、光を受光して電気信号に光電変換する複数の画素を有する撮像部と、被写体に照明光を出射する照明部と、前記電気信号に基づいて前記複数の画素から出力される複数の出力値のうち、設定された上限値に達した出力値を出力する飽和画素の出力値を補正する補正部と、前記補正部が補正した補正出力値、および前記飽和画素以外の画素が出力する出力値をもとに、該補正出力値および該出力値の平均値である測光値を算出する演算部と、前記演算部が算出した前記測光値をもとに、前記照明部の動作を制御する調光部と、を備えたことを特徴とする。
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
脚体と、前記脚体上に配される天板と、この天板を前記脚体に使用姿勢から跳ね上げ姿勢までの間でフラップ動作し得るように支持させる天板支持機構とを具備してなり、
前記天板支持機構が、前記脚体に取り付けられ上半にヘッド部を有した軸プレートと、この軸プレートのヘッド部に軸支持された天板受けと、この天板受け内に配設された天板ロック用のロック爪とを備えたものであり、前記軸プレートのヘッド部が、前記使用姿勢に達した天板を上端面により受け止めるヘッド部本体と、このヘッド部本体の一側に設けられ前記ロック爪と係わり合って前記天板を使用姿勢にロックする第１の係止部及び前記ロック爪と係わり合って前記天板を跳ね上げ姿勢にロックする第２の係止部を有する爪受けとを備えたものであり、前記爪受けの前記ロック爪に対面する側の端縁を、前記ヘッド部本体の端縁よりも奥に控えた位置に配していることを特徴とするフラップ天板付家具。
【請求項２】
脚体と、前記脚体上に配される天板と、この天板を前記脚体に使用姿勢から跳ね上げ姿勢までの間でフラップ動作し得るように支持させる天板支持機構とを具備してなり、
前記天板支持機構が、前記脚体に取り付けられ上半にヘッド部を有した軸プレートと、この軸プレートのヘッド部に軸支持された天板受けと、この天板受け内に配設された天板ロック用のロック爪とを備えたものであり、前記軸プレートのヘッド部が、前記使用姿勢に達した天板を上端面により受け止めるヘッド部本体と、このヘッド部本体の一側に設けられ前記ロック爪と係わり合って前記天板を使用姿勢にロックする第１の係止部及び前記ロック爪と係わり合って前記天板を跳ね上げ姿勢にロックする第２の係止部を有する爪受けとを備えたものであり、前記爪受けの前記ロック爪が係わり合う側の端縁を、前記ヘッド部本体の端縁よりも奥に控えた位置に配していることを特徴とするフラップ天板付家具。
【請求項３】
前記天板受けが、前記ヘッド部及び前記ロック爪の両側に位置する対をなす側板を有したものである請求項１又は２記載のフラップ天板付家具。
【請求項４】
前記脚体が、脚と、この脚に支持された支柱とを備えたものであるとともに、前記軸プレートが、前記支柱の起立面に側方から取り付けられる取付部と、この取付部から上方に延出するヘッド部とを有したものであり、
前記支柱の上端部分と前記軸プレートのヘッド部本体との間に、前記爪受け及び前記天板受けの一方の側板を収容可能な隙間が形成されている請求項３記載のフラップ天板付家具。
【請求項５】
左右対をなす脚体と、これら脚体上に配される天板と、この天板の両端部を前記各脚体にフラップ動作可能に支持させる左右対をなす天板支持機構とを具備してなり、
前記各天板支持機構において、ヘッド部本体の外側に爪受けを配している請求項１、２、３又は４記載のフラップ天板付家具。
【請求項６】
前記両天板支持機構における軸プレートの外側に形成された取付面を左右に対をなす脚体の内側に形成された起立面にそれぞれ取り付けている請求項５記載のフラップ天板付家具。
【請求項７】
前記天板支持機構が、前記ロック爪及び前記ヘッド部を隠ぺいするようにして前記天板受けに設けられたカバーを備えており、前記天板受けが、前記ヘッド部及び前記ロック爪の両側に位置する対をなす側板を有したものであり、
前記カバーが、前記側板に設けた取付孔に係わり合わせることができる突起を有したカバー本体を備えている請求項１、２、３、４、５又は６記載のフラップ天板付家具。
【手続補正２】
【補正対象書類名】明細書
【補正対象項目名】０００６
【補正方法】変更
【補正の内容】
【０００６】
以上の課題を解決すべく、本発明に係るフラップ天板付家具は、以下に述べるような構成を有する。すなわち本発明に係るフラップ天板付家具は、脚体と、前記脚体上に配される天板と、この天板を前記脚体に使用姿勢から跳ね上げ姿勢までの間でフラップ動作し得るように支持させる天板支持機構とを具備してなり、前記天板支持機構が、前記脚体に取り付けられ上半にヘッド部を有した軸プレートと、この軸プレートのヘッド部に軸支持された天板受けと、この天板受け内に配設された天板ロック用のロック爪とを備えたものであり、前記軸プレートのヘッド部が、前記使用姿勢に達した天板を上端面により受け止めるヘッド部本体と、このヘッド部本体の一側に設けられ前記ロック爪と係わり合って前記天板を使用姿勢にロックする第１の係止部及び前記ロック爪と係わり合って前記天板を跳ね上げ姿勢にロックする第２の係止部を有する爪受けとを備えたものであり、前記爪受けの前記ロック爪に対面する側の端縁を、前記ヘッド部本体の端縁よりも奥に控えた位置に配している。
また、本発明に係るフラップ天板付き家具は、脚体と、前記脚体上に配される天板と、この天板を前記脚体に使用姿勢から跳ね上げ姿勢までの間でフラップ動作し得るように支持させる天板支持機構とを具備してなり、前記天板支持機構が、前記脚体に取り付けられ上半にヘッド部を有した軸プレートと、この軸プレートのヘッド部に軸支持された天板受けと、この天板受け内に配設された天板ロック用のロック爪とを備えたものであり、前記軸プレートのヘッド部が、前記使用姿勢に達した天板を上端面により受け止めるヘッド部本体と、このヘッド部本体の一側に設けられ前記ロック爪と係わり合って前記天板を使用姿勢にロックする第１の係止部及び前記ロック爪と係わり合って前記天板を跳ね上げ姿勢にロックする第２の係止部を有する爪受けとを備えたものであり、前記爪受けの前記ロック爪が係わり合う側の端縁を、前記ヘッド部本体の端縁よりも奥に控えた位置に配している。
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
左右対をなす脚体と、これら脚体上に配される天板と、この天板を前記各脚体にフラップ動作可能に支持させる左右対をなす天板支持機構とを具備してなり、
前記各脚体が、支柱と、この支柱の下端部から使用端側に延設された後脚と、この後脚よりも内側に位置させて前記支柱の下端部から反使用端側に延設された前脚とを備え、前記前脚と前記後脚とは一体に作られたものであり、前記前脚が前記後脚の嵌合部を介して前記支柱の下端部に取り付けられており、前記天板を跳ね上げた状態で前記両脚体の後脚間に同一構造をなす他の家具の左右の前脚を侵入させてスタッキングさせ得るようにしたものであり、
前記各脚体において、前記支柱の外側面と前記後脚の外側面とを略面一に連続させたことを特徴とするフラップ天板付家具。
【請求項２】
前記各天板支持機構が、前記各脚体の支柱の内側面に取り付けられた軸プレートと、この軸プレートに軸支持された天板受けとを備えたものである請求項１記載のフラップ天板付家具。
【請求項３】
前記左右の天板支持機構同士を連結ビームにより結合してなるメカユニットを備えており、そのメカユニットの外側に前記脚体がそれぞれ配されている請求項１又は２記載のフラップ天板付家具。
【請求項４】
前記軸プレートがその上半に前記天板受けを軸支持するヘッド部を有し、前記天板受けが前記ヘッド部の両側に位置して対をなす側板を有する請求項２記載のフラップ天板付家具。
【請求項５】
前記左右の脚体の後脚が、使用端に近づくにつれ互いに離間している請求項１、２、３又は４記載のフラップ天板付家具。
【請求項６】
前記後脚が、前記嵌合部を貫通して下側から螺合させたボルトにより前記支柱に取着されている請求項１、２、３、４又は５記載のフラップ天板付家具。
【請求項７】
前記前脚が、その基端側外側面を前記後脚の基端側内側面に一体化させたものである請求項１、２、３、４、５又は６記載のフラップ天板付家具。
【手続補正２】
【補正対象書類名】明細書
【補正対象項目名】０００６
【補正方法】変更
【補正の内容】
【０００６】
以上の課題を解決すべく、本発明に係るフラップ天板付家具は、以下に述べるような構成を有する。すなわち本発明に係るフラップ天板付家具は、左右対をなす脚体と、これら脚体上に配される天板と、この天板を前記各脚体にフラップ動作可能に支持させる左右対をなす天板支持機構とを具備してなり、前記各脚体が、支柱と、この支柱の下端部から使用端側に延設された後脚と、この後脚よりも内側に位置させて前記支柱の下端部から反使用端側に延設された前脚とを備え、前記前脚と前記後脚とは一体に作られたものであり、前記前脚が前記後脚の嵌合部を介して前記支柱の下端部に取り付けられており、前記天板を跳ね上げた状態で前記両脚体の後脚間に同一構造をなす他の家具の左右の前脚を侵入させてスタッキングさせ得るようにしたものであり、前記各脚体において、前記支柱の外側面と前記後脚の外側面とを略面一に連続させている。
【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示手段に、識別情報の表示結果として予め定められた特定表示結果が導出表示されたときに、遊技者にとって有利な特定遊技状態に制御する遊技機であって、
未だ開始されていない識別情報の可変表示について保留情報として記憶可能な保留記憶手段と、
前記保留情報に対応して保留表示を実行する保留表示手段と、
前記保留情報に基づいて識別情報の表示結果を特定表示結果とするか否かを判定する事前判定手段と、
前記事前判定手段の判定結果に基づいて、判定対象の識別情報の可変表示が開始される以前の識別情報の可変表示の実行中に所定の演出を実行する先読み演出実行手段と、
前記事前判定手段の判定結果に基づいて前記保留表示の表示態様を特定の態様に変化させ得る保留変化演出を実行する保留変化演出実行手段と、を備え、
前記保留変化演出実行手段は、前記所定の演出が実行されている場合に、前記所定の演出が実行されていない場合よりも高い割合で前記保留変化演出を実行する、
ことを特徴とする遊技機。
【手続補正２】
【補正対象書類名】明細書
【補正対象項目名】０００５
【補正方法】変更
【補正の内容】
【０００５】
しかしながら、上記特許文献１に記載の遊技機では、遊技興趣を低下させるおそれがある。
【手続補正３】
【補正対象書類名】明細書
【補正対象項目名】０００７
【補正方法】変更
【補正の内容】
【０００７】
（１）上記目的を達成するため、本発明の第１の観点に係る遊技機は、
各々を識別可能な複数種類の識別情報の可変表示を行い表示結果を導出表示する可変表示手段に、識別情報の表示結果として予め定められた特定表示結果（例えば大当り図柄など）が導出表示されたときに、遊技者にとって有利な特定遊技状態（例えば大当り遊技状態など）に制御する遊技機（例えばパチンコ遊技機１など）であって、
未だ開始されていない識別情報の可変表示について保留情報として記憶可能な保留記憶手段（例えば第１特図保留記憶部や第２特図保留記憶部など）と、
前記保留情報に対応して保留表示を実行する保留表示手段と、
前記保留情報に基づいて識別情報の表示結果を特定表示結果とするか否かを判定する事前判定手段（例えばステップＳ２１１の処理を実行するＣＰＵ１０３など）と、
前記事前判定手段の判定結果に基づいて、判定対象の識別情報の可変表示が開始される以前の識別情報の可変表示の実行中に所定の演出（例えば図３２に示すような枠を表示する演出など）を実行する先読み演出実行手段（例えばステップＳ５５３の処理を実行する演出制御用ＣＰＵ１２０など）と、
前記事前判定手段の判定結果に基づいて前記保留表示の表示態様を特定の態様に変化させ得る保留変化演出（例えば図３２（ｇ）、（ｈ）に示す演出など）を実行する保留変化演出実行手段（例えばステップＳ５５５の処理を実行する演出制御用ＣＰＵ１２０など）と、を備え、
前記保留変化演出実行手段は、前記所定の演出が実行されている場合に、前記所定の演出が実行されていない場合よりも高い割合で前記保留変化演出を実行する（例えば連続演出を実行する場合には保留情報の表示態様を変化させる態様の保留表示予告が行われる割合が高いなど）、
ことを特徴とする。
【手続補正４】
【補正対象書類名】明細書
【補正対象項目名】０００８
【補正方法】変更
【補正の内容】
【０００８】
このような構成によれば、所定の演出が実行されると保留変化演出の実行割合が高くなるため、遊技興趣の低下を防止することができる。
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
遊技媒体が始動領域を通過した後に、可変表示の開始条件が成立したことにもとづいて第１識別情報の可変表示を行い、当該第１識別情報の表示結果として特定表示結果が導出表示されたときに遊技者にとって有利な特定遊技状態に制御し、遊技媒体が所定領域を通過した後に、可変表示の開始条件が成立したことにもとづいて第２識別情報の可変表示を行い、当該第２識別情報の表示結果として所定表示結果が導出表示されたときに、可変入賞装置を遊技媒体が進入しやすい状態に制御する遊技機であって、
第１識別情報の表示結果が前記特定表示結果になること、または第２識別情報の表示結果が前記所定表示結果になることを示唆するための第１の所定演出と、第１識別情報の表示結果が前記特定表示結果になることを示唆するための第２の所定演出とを実行する所定演出実行手段とを備え、
前記所定演出実行手段は、第２識別情報の可変表示が行われていないときには、前記第２の所定演出を実行する
ことを特徴とする遊技機。
【請求項２】
第１の所定演出と第２の所定演出とのうちの少なくともいずれかは複数種類の演出を含み、所定演出実行手段は、複数種類の演出結果のうちのいずれの演出結果となるかを、所定演出の種類に応じて異なる割合で所定演出において報知する
請求項１記載の遊技機。
【請求項３】
第１識別情報の可変表示を実行する可変表示実行手段と、可変入賞装置を遊技媒体が進入しやすい状態に制御する可変入賞装置制御手段とを備え、
前記可変入賞装置は、複数の始動領域のうちの一つであり、
前記可変入賞装置制御手段は、前記可変入賞装置を遊技媒体が進入可能な期間開放状態に制御し、
前記可変表示実行手段は、前記開放状態において遊技媒体が前記可変入賞装置に進入したことにもとづいて第１識別情報の可変表示を実行する場合には、可変表示を特殊態様で実行する
請求項１または請求項２記載の遊技機。
【請求項４】
複数種類の特殊態様があり、
遊技媒体が始動領域を通過したときに、第１識別情報の表示結果を特定表示結果とするか否かを決定するための数値データを抽出する数値データ抽出手段と、
遊技媒体が前記始動領域を通過したが開始条件が成立していない第１識別情報の可変表示について、所定の上限数を限度に、前記数値データ抽出手段により抽出された数値データを保留記憶として記憶する保留記憶手段と、
第１識別情報の可変表示の開始条件が成立したときに、前記保留記憶手段に記憶されている保留記憶にもとづいて、第１識別情報の可変表示を行う可変表示部に導出表示される表示結果を特定表示結果にするか否かを決定する開始条件成立時決定手段と、
前記可変表示部に導出表示される表示結果が特定表示結果となるか否かを、前記開始条件成立時決定手段による決定前に判定する開始条件成立前判定手段とを備え、
可変表示実行手段は、前記開始条件成立前判定手段の判定結果にもとづいて、いずれの種類の特殊態様によって第１識別情報の可変表示を実行するのかを決定する
請求項３記載の遊技機。
【請求項５】
所定演出実行手段は、第１の所定演出を実行しているときに、第１識別情報の表示結果が特定表示結果になり、かつ、第２識別情報の表示結果が所定表示結果になる導出予定状態である場合には、該導出予定状態でない場合に比べて、高い割合で、演出結果として、第１識別情報の表示結果が前記特定表示結果になることを報知する演出を行う
請求項１から請求項４のうちのいずれかに記載の遊技機。
【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
第１部分（１）および多数の第２部分（２）を有する通信ユニットを備え、第２部分（２）は、住居、オフィスまたは同等物等のエンドユーザーの場所に設置されるように構成され、第１部分（１）は、多数の前記第２部分（２）に共通であり、第１部分および各第２部分は、レーザー（Ｔｘ、１７）を備え、各第２部分は、光ファイバー・ケーブル（３）および周波数フィルタ（４；１２、１３）により、第１部分に接続され、第１部分（１）と当該第２部分（２）とは、レーザー光により情報を交換するように構成される、通信システムにおいて、
第２部分（２）の各々は、チューニング可能なレーザー（６）を備え、第１部分（１）は、第２部分（２）から受信した光を分析するように構成され、第１部分（１）は、第２部分から光を受信中、第２部分（２）に情報を送信するように構成され、
前記情報は、第２部分（２）がその周波数または波長を調整するための情報を含み、第２部分（２）は、それによってその周波数または波長を変更するように構成され、
各レーザー（６）は、異なるチャンネルに対応する異なる周波数または波長で送信し、第１部分が各レーザー（６）から放出された光を受信するまでは、レーザーに導かれる制御電流により、異なる周波数または波長の間をシフトするように構成される、通信システム。
【請求項２】
第１部分（１）は、第２部分（２）から受信した光を、その周波数または波長に関して直接的または間接的に分析するように構成される、請求項１に記載の通信システム。
【請求項３】
第２部分（２）のレーザー（６）には、周波数基準を含む装置も所定の周波数または波長を維持するための内部装置も設けられていない、請求項１または２に記載の通信システム。
【請求項４】
第２部分（２）は、レーザー（６）の制御電流、電圧および／または温度を制御することによってその周波数または波長を制御するための制御回路（１９）を備え、制御回路（１９）は、第２部分の周波数または波長の変更要求を含む情報を第１部分（１）から第２部分が受信したときに、レーザー（６）の周波数または波長を変更するように構成される、請求項１、２または３に記載の通信システム。
【請求項５】
周波数または波長が所定の値から偏移した場合に、第１部分（１）は、第２部分（２）の周波数または波長の変更を要求する情報を第２部分（２）に送信するように構成され、第２部分（２）の制御回路（１９）は、その周波数または波長を変更するように構成され、その周波数または波長の変更後、第１部分（１）は、再びその周波数または波長を分析し、第２部分（２）の周波数または波長の再変更を要求する追加の情報を第２部分（２）に送信するように構成される、請求項４に記載の通信システム。
【請求項６】
第１部分（１）は、光の強度を測定することにより、その周波数または波長を間接的に測定するように構成される、請求項２、３、４または５に記載の通信システム。
【請求項７】
第１部分（１）は、その周波数または波長を直接的に測定するように構成される、請求項２、３、４または５に記載の通信システム。
【請求項８】
第２部分（２）は、送信される光を周波数変調するように構成され、第１部分（１）は、その周波数または波長の関数としての受信パワーの微分を測定するように構成される、請求項２、３、４または５に記載の通信システム。
【請求項９】
第１部分（１）は、固定波長のレーザーのアレイを備える、請求項１、２、３、４、５、６、７または８に記載の通信システム。
【請求項１０】
第１部分（１）は、チューニング可能なレーザーを備える、請求項１、２、３、４、５、６、７、８または９に記載の通信システム。
【請求項１１】
マルチプレクサ（１２）およびデマルチプレクサ（１３）は、第１部分（１）と第２部分（２）との間に存在し、マルチプレクサおよびデマルチプレクサは、前記第１部分から当該第２部分へ、およびその逆へ光を導くように構成される、請求項１、２、３、４、５、６、７、８、９または１０に記載の通信システム。
【手続補正書】
【提出日】平成26年10月20日(2014.10.20)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
ＥＬ素子と、第１のトランジスタと、第２のトランジスタと、容量と、を有する画素を有し、
前記第１のトランジスタのソースまたはドレインの一方は、第１の配線と電気的に接続され、
前記第１のトランジスタのゲート電極は、第２の配線と電気的に接続され、
前記第２のトランジスタのソースまたはドレインの一方は、前記ＥＬ素子と電気的に接続され、
前記第２のトランジスタのソースまたはドレインの他方は、第３の配線と電気的に接続され、
前記第１のトランジスタは、第１の半導体領域と、前記第１の半導体領域上の第１の絶縁膜と、前記第１の絶縁膜上の前記ゲート電極とを有し、
前記第１の半導体領域は、第２の半導体領域と同一の半導体層に含まれ、
前記第２の半導体領域は、前記第１の絶縁膜を間に挟んで、第１の導電膜と重なり、
前記第１の導電膜は、前記容量の一方の端子として機能し、
前記第１の導電膜は、前記第３の配線と直接接続され、
前記第１の導電膜と前記第３の配線とが直接接続される部分は、前記第１の絶縁膜を介して、前記第２の半導体領域と重なる領域を有することを特徴とする半導体装置。
【請求項２】
ＥＬ素子と、第１のトランジスタと、第２のトランジスタと、容量と、を有する画素を有し、
前記第１のトランジスタのソースまたはドレインの一方は、第１の配線と電気的に接続され、
前記第１のトランジスタのゲート電極は、第２の配線と電気的に接続され、
前記第２のトランジスタのソースまたはドレインの一方は、前記ＥＬ素子と電気的に接続され、
前記第２のトランジスタのソースまたはドレインの他方は、第３の配線と電気的に接続され、
前記第１のトランジスタは、第１の半導体領域と、前記第１の半導体領域上の第１の絶縁膜と、前記第１の絶縁膜上の前記ゲート電極とを有し、
前記第１の半導体領域は、第２の半導体領域と同一の半導体層に含まれ、
前記第２の半導体領域は、前記第１の絶縁膜を間に挟んで、第１の導電膜と重なり、
前記第３の配線は、前記第１の導電膜上において、第２の絶縁膜を間に挟んで、前記第１の導電膜と重なる領域を有し、
前記第１の導電膜は、前記容量の一方の端子として機能し、
前記第１の導電膜は、前記第３の配線と直接接続され、
前記第１の導電膜と前記第３の配線とが直接接続される部分は、前記第１の絶縁膜を介して、前記第２の半導体領域と重なる領域を有することを特徴とする半導体装置。
【請求項３】
プラスチック基板上に、ＥＬ素子と、第１のトランジスタと、第２のトランジスタと、容量と、を有する画素を有し、
前記画素を間に挟んで、前記プラスチック基板と対向する、プラスチック材でなるカバー材を有し、
前記第１のトランジスタのソースまたはドレインの一方は、第１の配線と電気的に接続され、
前記第１のトランジスタのゲート電極は、第２の配線と電気的に接続され、
前記第２のトランジスタのソースまたはドレインの一方は、前記ＥＬ素子と電気的に接続され、
前記第２のトランジスタのソースまたはドレインの他方は、第３の配線と電気的に接続され、
前記第１のトランジスタは、第１の半導体領域と、前記第１の半導体領域上の第１の絶縁膜と、前記第１の絶縁膜上の前記ゲート電極とを有し、
前記第１の半導体領域は、第２の半導体領域と同一の半導体層に含まれ、
前記第２の半導体領域は、前記第１の絶縁膜を間に挟んで、第１の導電膜と重なり、
前記第１の導電膜は、前記容量の一方の端子として機能し、
前記第１の導電膜は、前記第３の配線と直接接続され、
前記第１の導電膜と前記第３の配線とが直接接続される部分は、前記第１の絶縁膜を介して、前記第２の半導体領域と重なる領域を有することを特徴とする半導体装置。
【請求項４】
プラスチック基板上に、ＥＬ素子と、第１のトランジスタと、第２のトランジスタと、容量と、を有する画素を有し、
前記画素を間に挟んで、前記プラスチック基板と対向する、プラスチック材でなるカバー材を有し、
前記第１のトランジスタのソースまたはドレインの一方は、第１の配線と電気的に接続され、
前記第１のトランジスタのゲート電極は、第２の配線と電気的に接続され、
前記第２のトランジスタのソースまたはドレインの一方は、前記ＥＬ素子と電気的に接続され、
前記第２のトランジスタのソースまたはドレインの他方は、第３の配線と電気的に接続され、
前記第１のトランジスタは、第１の半導体領域と、前記第１の半導体領域上の第１の絶縁膜と、前記第１の絶縁膜上の前記ゲート電極とを有し、
前記第１の半導体領域は、第２の半導体領域と同一の半導体層に含まれ、
前記第２の半導体領域は、前記第１の絶縁膜を間に挟んで、第１の導電膜と重なり、
前記第３の配線は、前記第１の導電膜上において、第２の絶縁膜を間に挟んで、前記第１の導電膜と重なる領域を有し、
前記第１の導電膜は、前記容量の一方の端子として機能し、
前記第１の導電膜は、前記第３の配線と直接接続され、
前記第１の導電膜と前記第３の配線とが直接接続される部分は、前記第１の絶縁膜を介して、前記第２の半導体領域と重なる領域を有することを特徴とする半導体装置。